(57)【要約】【課題】筐体内に異物が入り込むことを防止できるスライド型電子機器を提供する。【解決手段】スライド型電子機器は、上部筐体１と下部筐体２とがスライド可能に連結され、上部筐体１と下部筐体２との一方を他方に対してスライドさせて、下部筐体２に設けられている操作部２ｂが上部筐体１によって覆われた閉状態と、操作部２ｂが露出された開状態と、に切り換えられる。また、上部筐体１の下面に設けられた開口部１ｃと、下部筐体２の上面に設けられた開口部２ｃと、配線基板９と配線基板１０とを電気的に接続するためのＦＰＣ３と、を有し、ＦＰＣ３には、開口部１ｃを覆うように上部筐体１の下面に取り付けられたカバー部３ａと、開口部２ｃを覆うように下部筐体２の上面に取り付けられたカバー部３ｂと、が設けられ、カバー部３ａが上部筐体１内の配線基板９に電気的に接続され、カバー部３ｂが下部筐体２内の配線基板１０に電気的に接続されている。【選択図】図４Ａ
2010154291.tif 000002
【特許請求の範囲】
【請求項１】
重ねて配置された第１の筐体と第２の筐体とが相対的にスライド可能に連結され、前記第１の筐体と前記第２の筐体との一方を他方に対してスライドさせることにより、前記第２の筐体に設けられている操作部が前記第１の筐体によって覆われた閉状態と、前記操作部が露出された開状態と、に切り換え可能なスライド型電子機器において、
前記第１の筐体に収容された第１の配線基板と、前記第２の筐体に収容された第２の配線基板と、前記第１の筐体の、前記前記第２の筐体との対向面に設けられた第１の開口部と、前記第２の筐体の、前記第１の筐体との対向面に設けられた第２の開口部と、前記第１の配線基板と前記第２の配線基板とを電気的に接続するためのフレキシブルプリント基板と、を有し、
前記フレキシブルプリント基板には、前記第１の開口部を覆うように前記第１の筐体の前記対向面に取り付けられた第１のカバー部と、前記第２の開口部を覆うように前記第２の筐体の前記対向面に取り付けられた第２のカバー部と、が設けられ、前記第１のカバー部が第１の配線基板に電気的に接続され、前記第２のカバー部が前記第２の配線基板に電気的に接続されていることを特徴とするスライド型電子機器。
【請求項２】
前記閉状態から前記開状態に切り換えられるときに、前記第１の筐体が前記第２の筐体に対して第１の方向に相対的に移動し、前記フレキシブルプリント基板の、前記第１のカバー部と前記第２のカバー部との間の中間部は、前記第２のカバー部から前記第１の方向とは反対の第２の方向に延び、前記第２のカバー部よりも前記第２の方向側で、前記第１の方向側に折り返されている折り返し部を有する、請求項１に記載のスライド型電子機器。
【請求項３】
前記折り返し部は、前記第２の筐体に固定されている、請求項２に記載のスライド型電子機器。
【請求項４】
前記折り返し部を、前記第２の筐体との間に挟んで固定する固定部材を有する、請求項３に記載のスライド型電子機器。
【請求項５】
前記第１のカバー部の前記第１の筐体の前記対向面への接着、および前記第２のカバー部の前記第２の筐体の前記対向面への接着が、接着部材を介してなされている、請求項１から４のいずれか１項に記載のスライド型電子機器。
【請求項６】
前記接着部材は、前記第１の開口部および前記第２の開口部の全周をそれぞれ囲んでいる、請求項５に記載のスライド型電子機器。
【請求項７】
前記接着部材は両面テープである、請求項５または６に記載のスライド型電子機器。
【請求項８】
前記第１のカバー部および前記第２のカバー部をそれぞれ覆っている被覆部材を有する、請求項１から７のいずれか１項に記載のスライド型電子機器。
【請求項９】
前記被覆部材は粘着テープである、請求項８に記載のスライド型電子機器。
【請求項１０】
前記第１のカバー部は前記第１の配線基板に第１の接続部を介して電気的に接続され、前記第２のカバー部は前記第２の配線基板に第２の接続部を介して電気的に接続される、請求項１から９のいずれか１項に記載のスライド型電子機器。
【請求項１１】
前記第１の接続部および前記第２の接続部は、それぞれ独立に形成されたフレキシブルプリント基板によって構成されている、請求項１０に記載のスライド型電子機器。
【請求項１２】
前記第１の接続部と前記第１のカバー部との接続、および前記第２の接続部と前記第２のカバー部との接続は、ＡＣＦを介してなされている、請求項１１に記載のスライド型電子機器。
【請求項１３】
前記フレキシブルプリント基板は、両面に配線を備えている、請求項１から１２のいずれか１項に記載のスライド型電子機器。
【発明の詳細な説明】
【技術分野】
【０００１】
本発明は、開閉可能なスライド型電子機器に関する。
【背景技術】
【０００２】
携帯電話機などの小型電子機器には様々な開閉操作がなされるものがあり、その一つにスライド型のものがある。
【０００３】
図６Ａおよび図６Ｂは、一般的なスライド型電子機器の長手方向側断面図である。ここで、図６Ａにおける矢印ａ方向を「前方」とし、矢印ｂ方向を「後方」とする。
【０００４】
このスライド型電子機器は、上面に表示部１０１ｂを備えた上部筐体１０１と、上面に操作部１０２ｂを備えた下部筐体１０２と、を有する。
【０００５】
図６Ａは、このスライド型電子機器の、上部筐体１０１の下面が下部筐体１０２の上面全体に対向するように上部筐体１０１が下部筐体１０２に重ねられて配置された閉状態を示している。したがって、このスライド型電子機器では、閉状態のとき、下部筐体１０２の上面の操作部１０２ｂは、上部筐体１０１に覆い隠されているため操作不能である。
【０００６】
また、このスライド型電子機器は、上部筐体１０１が下部筐体１０２に対して前方にスライドされることにより閉状態から開状態に切り換えられる。図６Ｂは、このスライド型電子機器の開状態を示している。このとき、上部筐体１０１が下部筐体１０２の操作部１０２ｂから前方に離間し、操作部１０２ｂが操作可能な状態になっている。
【０００７】
したがって、このスライド型電子機器は、不使用時には閉状態にしておくことで長手方向のサイズが小さくなるため携帯しやすく、さらに、閉状態では操作部１０２ｂが上部筐体１０１に覆われているため、携帯時に操作部１０２ｂが誤操作されることを防止できる。また、このスライド型電子機器では、使用時に閉状態から開状態に切り換えることにより簡単に操作部１０２ｂを操作可能な状態にすることができるため操作性が損なわれない。
【０００８】
上部筐体１０１および下部筐体１０２は、それぞれ配線基板１０９および配線基板１１０を収容している。また、上部筐体１０１の下面には開口部１０１ｃが形成され、下部筐体１０２の上面には開口部１０２ｃが形成されている。
【０００９】
このスライド型電子機器は、上部筐体１０１の配線基板１０９と下部筐体１０２の配線基板１１０とを電気的に接続しているＦＰＣ基板１０３を有している。ＦＰＣとは、フレキシブルプリント基板（Ｆｌｅｘｉｂｌｅ  Ｐｒｉｎｔｅｄ  Ｃｉｒｃｕｉｔ）の略である。ＦＰＣ１０３は、一方の端部が開口部１０１ｃを通って上部筐体１０１内に引き込まれ、上部筐体１０１内に配置された配線基板１０９に接続されており、他方の端部が開口部１０２ｃを通って下部筐体１０２内に引き込まれ、下部筐体１０２内に配置された配線基板１１０に接続されている。
【００１０】
これにより、このスライド型電子機器では、下部筐体１０２の操作部１０２ｂが操作されることによる操作指令をＦＰＣ１０３を介して上部筐体１０１に伝達することができる。そのため、このスライド型電子機器では、下部筐体１０２の操作部１０２ｂからの操作指令に従って、たとえば、電波の送受信や、表示部１０１ｂにおける画像の表示などの上部筐体１０１に備えられた機能を発揮することができる。
【００１１】
上部筐体１０１の開口部１０１ｃは、開状態においても下部筐体１０２の上面に対向するように後方に寄せて配置され、下部筐体１０２の開口部１０２ｃは、開状態においても上部筐体１０１の下面に対向するように前方に寄せて配置されている。
【００１２】
したがって、このスライド型電子機器では、開状態においても、上部筐体１０１の開口部１０１ｃは第２の筐体１０２の上面に対向し、下部筐体１０２の開口部１０２ｃは第１の筐体１０１に対向している。これにより、開口部１０１ｃおよび開口部１０２ｃから上部筐体１０１および下部筐体１０２の中にゴミなどが入り込むことを抑制することができる。
【００１３】
また、ＦＰＣ１０３は、上部筐体１０１の開口部１０１ｃから下部筐体１０２の開口部１０２ｃより前方に配置されたＵ字部１０３ｃまで前方に延び、Ｕ字部１０３ｃでＵターンし、下部筐体１０２の開口部１０２ｃまで後方に延びている。
【００１４】
図６Ａに示す閉状態では、ＦＰＣ１０３のＵ字部１０３ｃは、下部筐体１０２の開口部１０２ｃの近傍に配置されている。このスライド型電子機器は、閉状態から、上部筐体１０１を下部筐体１０２に対して前方にスライドさせていくと、ＦＰＣ１０３はＵ字部１０３ｃの形成位置を変化させながらＵ字部１０３ｃを前方に移動させる。
【００１５】
したがって、図６Ｂに示す開状態のスライド型電子機器では、図６Ａに示す閉状態のときよりもＦＰＣ１０３のＵ字部１０３ｃが前方にある。しかし、このスライド型電子機器は、ＦＰＣ１０３のＵ字部１０３ｃは、開状態においても下部筐体１０２の上面から前方に出ないように構成されている。したがって、ＦＰＣ１０３は、上部筐体１０１と下部筐体１０２との間の隙間から外側に出ることがないため損傷を受けにくい。
【００１６】
また、このスライド型電子機器では、閉状態から開状態に切り換えるのとは反対の操作により、開状態から閉状態に切り換えられる。すなわち、このスライド型電子機器は、図６Ｂに示した開状態から、上部筐体１０１を下部筐体１０２に対して後方にスライドさせることにより、図６Ａに示す閉状態に切り換えられる。
【００１７】
以上のように、このスライド型電子機器は、上部筐体１０１の配線基板１０９と下部筐体１０２の配線基板１１０との電気的接続を保ちつつ開閉操作が行われることが可能である。
【特許文献１】特開２００６−１５７４６５号公報
【特許文献２】特開２００６−１１５１４４号公報
【特許文献３】特開２００５−１３６６０１号公報
【発明の開示】
【発明が解決しようとする課題】
【００１８】
しかしながら、図６Ａおよび図６Ｂに示したスライド型電子機器では、上部筐体１０１と下部筐体１０２との間の隙間にゴミや液体などの異物が入り込むことがある。このとき、その異物は、上部筐体１０１と下部筐体１０２との間の隙間に配置された開口部１０１ｃおよび開口部１０２ｃから上部筐体１０１および下部筐体１０２の中に入り込むことがある。これにより、このスライド型電子機器に不具合が発生することがある。
【００１９】
これを防ぐために、上部筐体１０１と下部筐体１０２との間の隙間をクッションなどの部材によって塞ぐことが考えられるが、この隙間を完全に塞ぐと、上部筐体１０１を下部筐体１０２に対してスライドさせることが困難になり、スライド型電子機器の開閉操作ができなくなる。
【００２０】
また、上部筐体１０１の開口部１０１ｃおよび下部筐体１０２の開口部１０２ｃを、それぞれゴムなどで形成された栓によって塞ぐことも考えられる。しかし、開口部１０１ｃ，１０２ｃにはＦＰＣ１０３が通されており、栓にはＦＰＣ１０３を通すための隙間を形成する必要があるため、栓によって開口部１０１ｃ，１０２ｃを完全に塞ぐことは困難である。また、開口部１０１ｃ，１０２ｃに栓を設けると、開口部１０１ｃ，１０２ｃから各筐体１０１，１０２の外側に栓が突出するため、スライド型電子機器は厚くなる。
【００２１】
そこで、本発明は、筐体内に異物が入り込むことを防止できるスライド型電子機器を提供することを目的とする。
【課題を解決するための手段】
【００２２】
上記目的を達成するため、本発明のスライド型電子機器は、重ねて配置された第１の筐体と第２の筐体とが相対的にスライド可能に連結され、前記第１の筐体と前記第２の筐体との一方を他方に対してスライドさせることにより、前記第２の筐体に設けられている操作部が前記第１の筐体によって覆われた閉状態と、前記操作部が露出された開状態と、に切り換え可能なスライド型電子機器において、前記第１の筐体に収容された第１の配線基板と、前記第２の筐体に収容された第２の配線基板と、前記第１の筐体の、前記前記第２の筐体との対向面に設けられた第１の開口部と、前記第２の筐体の、前記第１の筐体との対向面に設けられた第２の開口部と、前記第１の配線基板と前記第２の配線基板とを電気的に接続するためのフレキシブルプリント基板と、を有し、前記フレキシブルプリント基板には、前記第１の開口部を覆うように前記第１の筐体の前記対向面に取り付けられた第１のカバー部と、前記第２の開口部を覆うように前記第２の筐体の前記対向面に取り付けられた第２のカバー部と、が設けられ、前記第１のカバー部が第１の配線基板に電気的に接続され、前記第２のカバー部が前記第２の配線基板に電気的に接続されていることを特徴とする。
【発明の効果】
【００２３】
本発明によれば、筐体内に異物が入り込むことを防止できるスライド型電子機器を提供することができる。
【発明を実施するための最良の形態】
【００２４】
次に、本発明の実施形態について図面を参照して説明する。
【００２５】
図１Ａおよび図１Ｂは、本発明の一実施形態に係るスライド型電子機器の斜視図である。図１Ａはそのスライド型電子機器の閉状態を示し、図１Ｂは開状態を示している。
【００２６】
本実施形態では、スライド型電子機器の一例として携帯電話機について説明する。他のスライド型電子機器としては、たとえば、ノートタイプのパーソナルコンピュータや、携帯情報端末（ＰＤＡ：Ｐｅｒｓｏｎａｌ  Ｄｉｇｉｔａｌ  Ａｓｓｉｓｔａｎｔｓ）や、デジタルカメラや、デジタルビデオカメラなどが考えられるが、これらにおいても本実施形態と同様に構成することができる。
【００２７】
このスライド型電子機器は、上面に表示部１ｂを備えた第１の筐体である上部筐体１と、上面に操作部２ｂを備えた第２の筐体である下部筐体２と、を有している。このスライド型電子機器では、上部筐体１を下部筐体２に対して長手方向にスライドさせることにより開閉操作がなされる。
【００２８】
ここで、このスライド型電子機器を閉状態から開状態に切り換えるときに上部筐体１を下部筐体２に対して移動させる第１の方向（図１Ａにおける矢印ａ方向）を「前方」とし、反対に、このスライド型電子機器を開状態から閉状態に切り換えるときに上部筐体１を下部筐体２に対して移動させる第２の方向（図１Ａにおける矢印ｂ方向）を「後方」とする。
【００２９】
上部筐体１の下面の側方の両端部には前方から後方に延びるガイドレール１ａがそれぞれ設けられ、一方、下部筐体２の上面の前方には、各ガイドレール１ａに係合しているスライド部２ａが設けられている。スライド部２ａは、図１Ａに示す閉状態ではガイドレールの前方の端部に係合し、図１Ｂに示す開状態ではガイドレール１ａの後方の端部に係合している。ガイドレール１ａは、スライド部２ａとの係合を保ちつつ、スライド部２ａを前方の端部と後方の端部との間を、移動させることができる。
【００３０】
このように、このスライド型電子機器では、常に上部筐体１のガイドレール１ａと下部筐体２のスライド部２ａとの係合が保たれている。そのため、このスライド型電子機器は、上部筐体１が下部筐体２から外れることなく開閉操作がなされることが可能である。
【００３１】
このスライド型電子機器は、操作部２ｂが下部筐体２の後方に寄せて配置されている。そのため、図１Ａに示す閉状態のとき、下部筐体２の上面の操作部２ｂが上部筐体１に覆い隠されているため操作部２ｂが操作されることができないが、図１Ｂに示す開状態に切り換えられると、上部筐体１が下部筐体２の操作部２ｂから前方に離間するため、操作部２ｂが操作可能な状態になる。
【００３２】
図２は、本実施形態に係るスライド型電子機器の分解斜視図である。図２では、ガイドレール１ａおよびスライド部２ａを省略して示している。
【００３３】
このスライド型電子機器は、両面に配線が設けられたＦＰＣ３を有している。ＦＰＣ３には、一方の端部に上部筐体１に取り付けられる第１のカバー部３ａが設けられ、他方の端部に下部筐体２に取り付けられる第２のカバー部３ｂが設けられている。また、ＦＰＣ３の、カバー部３ａとカバー部３ｂとの間の中間部は、カバー部３ａからＵ字部３ｃまで前方に延び、Ｕ字部３ｃで下側にＵターンし、さらに後方に延びている。ＦＰＣ３のカバー部３ｂ付近の構成については後述する。
【００３４】
上部筐体１の、下部筐体２に対向している下面には第１の開口部１ｃが形成されている。また、上部筐体１の下面には、枠型に形成され、開口部１ｃの全周を囲むように配置された接着部材である両面テープ７が設けられている。ＦＰＣ３のカバー部３ａは、両面テープ７を介して、開口部１ｃの全体を覆うように上部筐体１の下面に取り付けられる。両面テープ７は開口部１ｃの全周にわたって配置されているため、カバー部３ａと上部筐体１の下面との間には隙間が生じない。
【００３５】
これにより、このスライド型電子機器では、開閉操作の操作性を損なう部材を設けることなく、かつ、厚さを増大させることなく、開口部１ｃから上部筐体１内に異物が入り込むことを防止できる。
【００３６】
また、上部筐体１内には独立に形成されたＦＰＣによって構成されている第１の接続部であるサブＦＰＣ５が設けられ、サブＦＰＣ５は、ＦＰＣ３のカバー部３ａと上部筐体１内に配置された第１の配線基板９（図４Ａおよび図４Ｂ参照）とを電気的に接続している。
【００３７】
ＦＰＣ３のカバー部３ａには位置決め穴３ｆが形成され、サブＦＰＣ５には位置決め穴５ｆが形成されている。サブＦＰＣ５は、位置決め穴５ｆを位置決め穴３ｆに合わされた状態でＦＰＣ３のカバー部３ａに接続される。
【００３８】
サブＦＰＣ５の、ＦＰＣ３のカバー部３ａへの接続には、ＡＣＦ（Ａｎｉｓｏｔｒｏｐｉｃ  Ｃｏｎｄａｃｔｉｖｅ  Ｆｉｌｍ）接続が用いられている。ＡＣＦは、フィルム状の絶縁樹脂材料の中に微細な導電性粒子を分散させた素材である。一般的に、２枚の基板の間にＡＣＦを挟み、ＡＣＦに圧力および熱を加えることにより、２枚の基板を電気的に接続させることができる。ここで、ＡＣＦを用いた電気的接続をＡＣＦ接続と呼ぶこととする。
【００３９】
下部筐体２の、上部筐体１に対向している上面には第２の開口部２ｃが形成されている。また、下部筐体２の上面には、枠型に形成され、開口部２ｃの全周を囲むように配置された接着部材である両面テープ８が設けられている。ＦＰＣ３のカバー部３ｂは、両面テープ８を介して、開口部２ｃの全体を覆うように下部筐体２の上面に取り付けられる。両面テープ８は開口部２ｃの全周にわたって配置されているため、カバー部３ｂと下部筐体２の上面との間には隙間が生じない。
【００４０】
これにより、このスライド型電子機器では、開閉操作の操作性を損なう部材を設けることなく、かつ、厚さを増大させることなく、開口部２ｃから下部筐体２内に異物が入り込むことを防止できる。
【００４１】
また、下部筐体２内には独立に形成されたＦＰＣによって構成されている第２の接続部であるサブＦＰＣ６が設けられ、サブＦＰＣ６は、ＦＰＣ３のカバー部３ｂと下部筐体２内に配置された第２の配線基板１０（図４Ａおよび図４Ｂ参照）とを電気的に接続している。
【００４２】
ＦＰＣ３のカバー部３ｂには位置決め穴３ｇが形成され、サブＦＰＣ６には位置決め穴６ｇが形成されている。サブＦＰＣ６は、位置決め穴６ｇを位置決め穴３ｇに合わされた状態でＦＰＣ３のカバー部３ｂにＡＣＦ接続される。
【００４３】
なお、両面テープ７，８は、開口部１ｃ，２ｃの全周を囲むように設けられていることが望ましいが、製造コストの低減や製造工程の簡略化のために開口部１ｃ，２ｃの周囲の一部にのみ両面テープを設ける構成も考えられる。このような構成にすることによって、開口部１ｃ，２ｃから筐体１，２内への異物の侵入を防止する効果は低下するが、このような構成でも、開口部１ｃ，２ｃはＦＰＣ３のカバー部３ｂに覆われているため、一般的なスライド型電子機器と比較すると、開口部１ｃ，２ｃから筐体１，２内への異物の侵入が大幅に抑制される。
【００４４】
また、カバー部３ａおよびカバー部３ｂは、上部筐体１および下部筐体２の外側から張り付けられた被覆部材であるテープ１１およびテープ１２によって覆われている。テープ１１およびテープ１２は粘着テープであり、上部筐体１の下面および下部筐体２の上面に粘着面を向けて張り付けられている。
【００４５】
これにより、カバー部３ａの位置決め穴３ｆおよびカバー部３ｂの位置決め穴３ｇはテープ１１およびテープ１２に塞がれているため、位置決め穴３ｆおよび位置決め穴３ｇから上部筐体１および下部筐体２の中に異物が入ることを防止できる。また、テープ１１およびテープ１２は、ＦＰＣ３のカバー部３ａおよびカバー部３ｂが上部筐体１および下部筐体２から外れることを防止することにも役立つ。
【００４６】
テープ１１およびテープ１２は、このスライド型電子機器の開閉操作時に、それぞれ下部筐体２の上面および上部筐体１の下面に摺擦されることにより、上部筐体１の下部筐体２に対するスライドの妨げになることがある。そのため、テープ１１およびテープ１２は、下部筐体２の上面および上部筐体１の下面に対して摺動しやすい材料で薄く形成されていることが望ましい。
【００４７】
なお、ＦＰＣ３の位置決め穴３ｆおよび位置決め穴３ｇを、それぞれＦＰＣ３のカバー部３ａおよびカバー部３ｂより外側の位置に形成することもできる。この場合には、位置決め穴３ｆおよび位置決め穴３ｇは、上部筐体１および下部筐体２の中に通じていないため、テープ１１およびテープ１２を設けて位置決め穴３ｆおよび位置決め穴３ｇを塞ぐことを要しない。
【００４８】
この場合のサブＦＰＣ５，６のカバー部３ａ，３ｂへの取り付けは、たとえば以下のように行う。すなわち、サブＦＰＣ５，６に、ＦＰＣ３の位置決め穴３ｆ，３ｇに対応する位置決め穴５ｆ，６ｇが形成されたマージン部を設け、サブＦＰＣ５，６を、位置決め穴５ｆ，６ｇが位置決め穴３ｆ，３ｇに合わせられた状態でＦＰＣ３のカバー部３ａ，３ｂにＡＣＦ接続する。このとき、サブＦＰＣ５，６のマージン部は、カバー部３ａ，３ｂより外側にある。したがって、カバー部３ｆおよびカバー部３ｇを上部筐体１および下部筐体２に取り付ける際にサブＦＰＣ５，６のマージン部が邪魔になる。これを防止するため、サブＦＰＣ５，６のマージン部を切断して除去する。
【００４９】
また、スライド型電子機器は、カバー部３ａ，３ｂと配線基板９，１０とをサブＦＰＣ５，６によって電気的に接続する構成に限らない。たとえば、カバー部３ａ，３ｂと配線基板９，１０とをコネクタを介して接続する構成や、カバー部３ａ，３ｂと配線基板９，１０とを直接接触させる構成であってもよい。
【００５０】
次に、図３Ａおよび図３Ｂを参照して、このスライド型電子機器のＦＰＣ３のカバー部３ｂの付近の構成について詳しく説明する。
【００５１】
図３Ａは本実施形態に係るスライド型電子機器の分解斜視図であり、図３Ｂはそのスライド型電子機器の斜視図である。図３Ａおよび図３Ｂでは、ＦＰＣ３のカバー部３ｂの付近を拡大して示している。
【００５２】
このスライド型電子機器では、ＦＰＣ３の中間部は、カバー部３ｂから後方に延び、折り返し部３ｄで上側に折り返され、折り返し部３ｄからＵ字部３ｃまで前方に延びている。また、このスライド型電子機器は、ＦＰＣ３の折り返し部３ｄを下部筐体２の上面に固定する固定部材であるフレーム４を有している。フレーム４は、金属材料や樹脂材料などによって形成される。
【００５３】
ＦＰＣ３の折り返し部３ｄには位置決め穴３ｅが設けられている。また、下部筐体２の上面の、開口部２ｃより後方にＦＰＣ３の位置決め穴３ｅに対応する突起２ｅが設けられている。下部筐体２の突起２ｅは、ＦＰＣ３の位置決め穴３ｅに係合することにより、ＦＰＣ３の折り返し部３ｄを下部筐体２の上面に位置決めする。
【００５４】
フレーム４には、側方の両端部に前方の端面から後方に窪んだ形状を有する凹部４ｆが形成されている。また、下部筐体２の上面には、突起２ｅに近接した位置に、フレーム４の凹部４ｆに対応する爪２ｆが設けられている。
【００５５】
フレーム４は、凹部４ｆが爪２ｆに嵌め込まれて、下部筐体２の上面に取り付けられる。各爪２ｆは、上部が側方外向きに突出した形状に形成されており、フレーム４の上面に係合するため、凹部４ｆが爪２ｆから上方に外れにくい。
【００５６】
また、下部筐体２の上面には、下部筐体２の上面に取り付けられたフレーム４の後方の端部に当接するリブ２ｇが設けられており、これによりフレーム４の凹部４ｆが下部筐体２の爪２ｆから後方に抜けること防止できる。なお、フレーム４には、フレーム４が下部筐体２の上面に取り付けられる際に位置決め突起２ｅが邪魔にならないように、逃げ穴４ｈが形成されている。
【００５７】
フレーム４は、ＦＰＣ３の位置決め穴３ｅと下部筐体２の突起２ｅとが係合し、折り返し部３ｄが下部筐体２の上面に位置決めされた状態で下部筐体２に取り付けられる。そうすると、ＦＰＣ３の折り返し部３ｄは、フレーム４と下部筐体２の上面との間に挟み込まれることにより、下部筐体２の上面に固定される。
【００５８】
このように、ＦＰＣ３の折り返し部３ｄが下部筐体２の上面に位置決めされた状態で、フレーム４によって固定されるため、折り返し部３ｄは下部筐体２の上面の一定の位置に固定される。これにより、このスライド型電子機器の製造中や使用中に折り返し部３ｄの位置が一定の位置からずれることを防止できるため、スライド型電子機器の信頼性が向上する。
【００５９】
また、ＦＰＣ３の折り返し部３ｄが下部筐体２の上面に固定されているため、このスライド型電子機器の開閉操作の際のＦＰＣ３の中間部の変形によって、カバー部３ｂには負荷がかからない。これにより、カバー部３ｂが下部筐体２の上面から外れることを防止できる。
【００６０】
なお、上述したように、ＦＰＣ３のカバー部３ｂと下部筐体２の上面との間には両面テープ８が配置され、ＦＰＣ３のカバー部３ｂはテープ１２によって覆われているが（図２参照）、図３Ａおよび図３Ｂでは両面テープ８およびテープ１２を省略して示している。
【００６１】
図４Ａおよび図４Ｂは、本実施形態に係るスライド型電子機器の側断面図である。図４Ａはそのスライド型電子機器の閉状態を示し、図４Ｂは開状態を示している。
【００６２】
図４Ａに示す閉状態では、ＦＰＣ３のＵ字部３ｃは、折り返し部３ｄの近くの位置に配置されている。このスライド型電子機器は、閉状態から、上部筐体１を下部筐体２に対して前方にスライドさせていくと、ＦＰＣ３はＵ字部３ｃの形成位置を中間部のカバー部３ａ側に変化させながらＵ字部３ｃを前方に移動させ、図４Ｂに示す開状態になる。
【００６３】
また、このスライド型電子機器は、図４Ｂに示す開状態から、上部筐体１を下部筐体２に対して後方にスライドさせていくと、ＦＰＣ３はＵ字部３ｃの形成位置を中間部のカバー部３ｂ側に変化させながらＵ字部３ｃを後方に移動させ、図４Ａに示す開状態になる。
【００６４】
このように、このスライド型電子機器は、上部筐体１の配線基板９と下部筐体２の配線基板１０との電気的接続を保ちつつ開閉操作が行われることが可能である。
【００６５】
なお、スライド型電子機器は、上部筐体および下部筐体に形成された開口部がともにＦＰＣによって覆われていれば、各開口部から筐体内に異物が入り込むことを防止できるため、本実施形態のように、ＦＰＣ３を折り返し部３ｄで折り返す構成を有していなくてもよい。
【００６６】
たとえば、スライド型電子機器は、図５に示すように、ＦＰＣ１３の、カバー部１３ａとカバー部１３ｂとの間の中間部が、カバー部１３ｂから前方に延び、ＦＰＣ１３が下部筐体の上面の、開口部より前方においてフレーム１４に固定されていてもよい。
【００６７】
しかし、図５に示したスライド型電子機器では、閉状態においてＵ字部１３ｃが下部筐体の開口部より前方に配置されているため、上部筐体を下部筐体に対して大きく移動させると、Ｕ字部１３ｃが下部筐体の上面から前方に出てしまう。したがって、このスライド型電子機器では、上部筐体を下部筐体に対して大きく移動させることができない。
【００６８】
そのため、このような構成のスライド型電子機器では、下部筐体の上面に操作部などを配置させるための十分なスペースを確保することが困難になることがあり、そのスペースを確保するためには、たとえば、スライド型電子機器のサイズを大きくする必要がある。
【００６９】
一方、本実施形態に係るスライド型電子機器では、ＦＰＣ３が折り返し部３ｄで折り返される構成により、図４Ａに示すようにＦＰＣ３のＵ字部３ｃを下部筐体２の開口部２ｃより後方に配置させることができる。したがって、図４Ｂに示すように、開状態において上部筐体１を下部筐体２に対して大きく移動させる構成を有していても、Ｕ字部３ｃは、上部筐体１と下部筐体２との間の隙間に留まっている。
【図面の簡単な説明】
【００７０】
【図１Ａ】本発明の一実施形態に係るスライド型電子機器の閉状態における斜視図である。
【図１Ｂ】図１Ａに示したスライド型電子機器の開状態における斜視図である。
【図２】図１Ａに示したスライド型電子機器の分解斜視図である。
【図３Ａ】図１Ａに示したスライド型電子機器の分解斜視図である。
【図３Ｂ】図１Ａに示したスライド型電子機器の斜視図である。
【図４Ａ】図１Ａに示したスライド型電子機器の閉状態における側断面図である。
【図４Ｂ】図１Ａに示したスライド型電子機器の開状態における側断面図である。
【図５】図１Ａに示したスライド型電子機器の変形例の閉状態における側断面図である。
【図６Ａ】一般的なスライド型電子機器の閉状態における側断面図である。
【図６Ｂ】図６Ａに示したスライド型電子機器の開状態における側断面図である。
【符号の説明】
【００７１】
１      上部筐体
１ｂ    表示部
１ｃ    開口部
２      下部筐体
２ｂ    操作部
２ｃ    開口部
３      ＦＰＣ
３ａ，３ｂ      カバー部
３ｃ    Ｕ字部
３ｄ    折り返し部
４      フレーム
５，６  サブＦＰＣ
７，８  両面テープ
９，１０        配線基板
１１，１２      テープ
【図１Ａ】
2010154291.tif 000003
【図１Ｂ】
2010154291.tif 000004
【図２】
2010154291.tif 000005
【図３Ａ】
2010154291.tif 000006
【図３Ｂ】
2010154291.tif 000007
【図４Ａ】
2010154291.tif 000008
【図４Ｂ】
2010154291.tif 000009
【図５】
2010154291.tif 000010
【図６Ａ】
2010154291.tif 000011
【図６Ｂ】
2010154291.tif 000012